(57)【要約】【課題】パウダー茶をミネラルウォーター内へワンタッチ操作できわめて簡単に混入、溶解できるペットボトル用パウダー茶抽出キャップを提供する。【解決手段】ペットボトル口部に螺合する中間キャップ１と、この中間キャップ上端に装着される上部キャップ１１と、内部にパウダー茶ａを封入した包装容器２１とを備え、前記中間キャップは、頂壁板３の中央部に上下端へ開口する円筒板４が、上端に頂壁板からの突出部３ａを有して貫通、縦設され、該突出部外側に上部キャップの装着部５、側壁板２の内側にねじ部５ａがそれぞれ形成されており、かつ円筒板内壁下端にパウダー茶入り包装容器２１が固着され、前記上部キャップは、頂壁板１３下面の中央部に押し込み棒１４が垂設され、側壁板１２内側に前記中間キャップの上端突出部に設けられた装着部に対応する装着部１５が形成されている。【選択図】        図１
2004238022.tif 000002
【特許請求の範囲】
【請求項１】
ペットボトル口部に螺合する中間キャップと、この中間キャップ上端に装着される上部キャップと、内部にパウダー茶を封入した包装容器とを備え、
前記中間キャップは、頂壁板と側壁板とからなり、頂壁板の中央部に上下端へ開口する円筒板が、上端に頂壁板からの突出部を有して貫通、縦設されると共に、該突出部外側に上部キャップの装着部、側壁板の内側にペットボトル口部へ螺合するねじ部がそれぞれ形成されており、かつ前記円筒板内壁下端に前記パウダー茶入り包装容器が固着されており、
前記上部キャップは、頂壁板と側壁板とからなり、頂壁板下面の中央部に押し込み棒が垂設されると共に、側壁板内側に前記中間キャップの上端突出部に設けられた装着部に対応する装着部が形成されており、上部キャップ降下による押し込み棒先端の圧力で包装容器を切開させることを特徴とするペットボトル用パウダー茶抽出キャップ。
【発明の詳細な説明】
【０００１】
【発明の属する技術分野】
本発明は、ペットボトル用パウダー茶抽出キャップに関する。
【０００２】
【従来の技術】
近年、茶葉を微粉末化したパウダー茶を防湿性の袋体に収容してなるティーバックおよびパウダー茶を直接ミネラルウォーターに混入してなるペットボトル飲料が市販されている。
【０００３】
【発明が解決しようとする課題】
しかしながら、前記パウダー茶のティーバックは、バック単体では飲用することができず、別に飲料水を用意しなければならないこと、およびバックを開封して飲料水に混入する手間が面倒なこと等の問題がある。
【０００４】
一方、パウダー茶混入のペットボトル飲料は、製造時にパウダー茶をミネラルウォーターに混入するため、消費者が飲用するまでに相当な時間が経過している。したがって、内部に品質劣化防止および鮮度保持用の添加剤として、例えばたんぱく質、脂質、炭水化物、ナトリウム等の夾雑物を添加している。このため、茶飲料としての味覚が低下すると共に、外観も濁った色調を呈し、商品としての価値が損われる問題がある。
【０００５】
本発明は、前記した従来の技術が有する諸問題を解消するもので、パウダー茶とミネラルウォーターを分離した状態でペットボトルに組み込み、飲用時にパウダー茶をミネラルウォーター内へワンタッチ操作できわめて簡単に混入、溶解でき、新鮮で美味なうえに、茶飲料らしいきれいな溶解色を呈した飲料が得られるペットボトル用パウダー茶抽出キャップを提供することを目的とする。
【０００６】
【課題を解決するための手段】
上記目的を達成するために、本発明に係るペットボトル用パウダー茶抽出キャップは、ペットボトル口部に螺合する中間キャップと、この中間キャップ上端に装着される上部キャップと、内部にパウダー茶を封入した包装容器とを備え、
前記中間キャップは、頂壁板と側壁板とからなり、頂壁板の中央部に上下端へ開口する円筒板が、上端に頂壁板からの突出部を有して貫通、縦設されると共に、該突出部外側に上部キャップの装着部、側壁板の内側にペットボトル口部へ螺合するねじ部がそれぞれ形成されており、かつ前記円筒板内壁下端に前記パウダー茶入り包装容器が固着されており、
前記上部キャップは、頂壁板と側壁板とからなり、頂壁板下面の中央部に押し込み棒が垂設されると共に、側壁板内側に前記中間キャップの上端突出部に設けられた装着部に対応する装着部が形成されており、上部キャップ降下による押し込み棒先端の圧力で包装容器を切開させることを特徴とする。
【０００７】
【作用】
ペットボトル口部に螺合している中間キャップ上部に装着されている上部キャップを押し下げると、上部キャップの頂壁板下面に垂設されている押し込み棒先端の圧力によって中間キャップの円筒板内壁下端に固着されている包装容器を突き破り、内部のパウダー茶をペットボトル内のミネラルウォーター内に落下させる。これによって、包装容器内に封入されていたパウダー茶がミネラルウォーターに混入、溶解するため、新鮮なまま美味しく飲むことができる。
【０００８】
【発明の実施の形態】
以下、本発明の実施の形態について図面を参照して詳細に説明する。
図１は、本発明の分解した状態を示す断面図であり、図２は、パウダー茶抽出前の断面図であり、図３は、パウダー茶抽出時の断面図であり、図４は、上部キャップの底面図であり、図５は、中間キャップの底面図であり、図６および図７は、他例を示す断面図である。
【０００９】
本抽出キャップは、ペットボトル１００の口部１０１に螺合する中間キャップ１と、この中間キャップ１の上端に装着される上部キャップ１１と、内部にパウダー茶ａを封入した包装容器２１とを備えている。
【００１０】
前記中間キャップ１は、側壁板２と頂壁板３およびその中央部を貫通して縦設された円筒板４とからなり、側壁板２の内側には、ペットボトル１００の口部１０１の外側に設けられたねじ部１０２へ螺合されるねじ部２ａが形成されており、一方、円筒板４の上部は頂壁板３上方へ突出されており、この突出部３ａの外側に、上部キャップ１１の装着部５としてねじ部５ａが形成されている。
【００１１】
前記上部キャップ１１は、側壁板１２と頂壁板１３とからなり、頂壁板１２の下面中央部に押し込み棒１４が垂設されると共に、側壁板１２の内側に、前記中間キャップ１の上端突出部３ａに設けられた装着部５としてのねじ部５ａに対する装着部１５としてねじ部１５ａが形成されている。
【００１２】
前記押し込み棒１４は、図４に明示したように、十字状に形成されると共に、先端を尖らせてあり、これによって、包装容器２１に対する切開が容易となっている。
【００１３】
また、この押し込み棒１４はその長さを前記中間キャップ１の円筒板４のそれと略同長に形成されている。
【００１４】
さらに、前記押し込み棒１４は図示の実施例に限定されるものではなく、先端を尖らせた丸棒あるいは角柱などで形成することも可能である。
【００１５】
前記包装容器２１は、短縮円筒形の側板２２の上下の両開口端に防水性シートカバー２３、２４を貼着して形成されている。これによって、内部のパウダー茶ａは長期に亘って防湿される。なお、包装容器２１の側壁板２２はその外径を中間キャップ１の円筒板４内壁４ａ下端の内径と略一致するように形成されている。これによって、この包装容器２１は中間キャップ１の円筒板４の内壁４ａ下端に嵌合され、接着剤にて固定される。
【００１６】
而して、図２に示したように、内部にミネラルウォーターｗを充填したペットボトル１００の口部１０１のねじ部１０２へ中間キャップ１下部のねじ部２ａを螺合する。そして、この中間キャップ１の上部突出部３ａのねじ部５ａに上部キャップ１１のねじ部１５ａを螺合するが、このとき、上部キャップ１１の頂壁板１２の下面中央部に垂設された押し込み棒１４の先端が中間キャップ１の円筒板４の内壁４ａ下端に固着された包装容器２１の上部の防水性シートカバー２３の僅か上方に位置するようにする。
【００１７】
次いで、これら上部キャップ１１、中間キャップおよびペットボトル１００の口部１０１にかけてその外周を透明なカバーフィルム３１にてシュリンク包装して、これによって両キャップ１１、１を図２に示した位置にそれぞれ固定、保持しておくものである。
【００１８】
次いで、飲用に供するときは、図３に示したように、カバーフィルム３１を除去してから上部キャップ１１をねじ込み方向に回動する。このようにして上部キャップ１１の頂壁板１２に垂設された押し込み棒１４を中間キャップ１の円筒板４内を降下させると、押し込み棒１４下端の圧力で、包装容器２１の上部の防水性シートカバー２３を突き破り、さらに下部の防水性シートカバー２４を突き破る。これによって、包装容器２１内部のパウダー茶ａはペットボトル１００に充填されたネラルウォーターｗ内に混入、溶解される。この後、ペットボトル１００内のパウダー茶入りミネラルウォーターを飲用するには、上部カバー１１と共に中間キャップ１をペットボトル１００の口部１０１から取り外すものである。
【００１９】
図５および図６に示す第２の実施例は、既述第１の実施例が、中間キャップ１と上部キャップ１１の装着部５、１５としてねじ部５ａ、１５ａが形成されているのに対して、擢動部５ｂ、１５ｂが形成されているものである。したがって、カバーフィルム３１を除去してから上部キャップ１を押し下げるだけで押し込み棒１４は降下し、包装容器２１の防水性シートカバー２３、２４を突き破ることができる。この後、上部キャップ１と共に中間キャップ１１をペットボトル１００の口部１０１から取り外しパウダー茶入りミネラルウォーターを飲用することは前記第１実施例と同様である。
【００２０】
さらに、本例では、中間キャップ１と上部キャップ１１の間に抜け防止機構が設けられている。すなわち、中間キャップ１の突出部３ａの外側に設けられた擢動部５ｂ上端に環状の外向きストッパー６が突設され、一方、上部キャップ１１の側壁板１２の内側に設けられた擢動部１５ｂ下端に環状の内向きストッパー１６が突設され、これによって図５に示したように、両ストッパー６、１６が互いに係合し、上部キャップ１１の中間キャップ１からの抜けが防止される。
【００２１】
なお、本例では、両ストッパー６、１６が互いに係合したときに、上部キャップ１１に垂設された押し込み棒１４先端が中間キャップ１の円筒板４の内壁４ａ下端に固着された包装容器２１の上部の防水性シートカバー２３の僅か上方に位置しており、押し込み棒１４の降下によって包装容器が切開されるようになっている。
【００２２】
【発明の効果】
本発明は、以上のとおり構成されるものであるり、パウダー茶入りの遮水性を有する包装容器をキャップ内に固定し、ペットボトル内のミネラルウォーターと隔離してあるため、パウダー茶の吸湿を長期に亘って有効に防止することができる。また、上部キャップを下げるだけで包装容器を切開でき、内部のパウダー茶をペットボトル内のミネラルウォーター内に混入、溶解できるため、新鮮で美味しく、しかも色調の良い茶飲料を簡単な操作で、かつ迅速、確実に飲用することができる。
【図面の簡単な説明】
【図１】本発明の分解した状態を示す断面図である。
【図２】パウダー茶抽出前の断面図である。
【図３】同上のパウダー茶抽出時の断面図である。
【図４】上部キャップの底面図である。
【図５】中間キャップの底面図である。
【図６】本発明の他の実施例のパウダー茶抽出前の断面図である。
【図７】同上のパウダー茶抽出時の断面図である。
【符号の説明】
１      中間キャップ
２      側壁板
２ａ    ねじ部
３      頂壁板
３ａ    突出部
４      円筒板
５      装着部
５ａ    ねじ部
１１    上部キャップ
１２    側壁板
１３    頂壁板
１４    押し込み棒
１５    装着部
１５ａ  ねじ部
２１    包装容器
２２    側板
２３    上部防水性シートカバー
２４    下部防水性シートカバー
１００  ペットボトル
１０１  口部
１０２  ねじ部
ａ      パウダー茶
ｗ      ミネラルウォーター
【図１】
2004238022.tif 000003
【図２】
2004238022.tif 000004
【図３】
2004238022.tif 000005
【図４】
2004238022.tif 000006
【図５】
2004238022.tif 000007
【図６】
2004238022.tif 000008
【図７】
2004238022.tif 000009